(57)【要約】【課題】ＰＳＩＰ（Ｐｒｏｇｒａｍ  ａｎｄ  Ｓｙｓｔｅｍ  Ｉｎｆｏｒｍａｔｉｏｎ  Ｐｒｏｔｏｃｏｌ）に視聴制限レベル情報が含まれるようなデジタル放送番組を光ディスクに録画した場合でも、視聴制限をかけることが可能となる光ディスク装置を提供する。【解決手段】録画の際は、データ分離部４がトランスポートストリームから分離したＰＳＩＰに含まれる視聴制限レベル情報を制御部７が不揮発性メモリ９に記憶させ、データ分離部４がトランスポートストリームから分離した映像信号をＤＶＤ記録再生部１０がＤＶＤに記録させ、再生の際は、不揮発性メモリ９に記憶された視聴制限レベル情報のレベルがリモコン操作により予め設定された視聴制限レベル以下でないと制御部７が判断すると、映像重畳部６はＤＶＤ記録再生部１０がＤＶＤから再生した映像信号に所定のＯＳＤ映像信号を重畳し、重畳後の映像信号に基づくビデオ信号を出力する。【選択図】図１
2008182502.tif 000002
【特許請求の範囲】
【請求項１】
光ディスク記録部と、光ディスク再生部と、データ分離部と、記憶部と、制御部と、映像重畳部とを備え、
前記データ分離部がトランスポートストリームから分離したＰＳＩＰ（Ｐｒｏｇｒａｍ  ａｎｄ  Ｓｙｓｔｅｍ  Ｉｎｆｏｒｍａｔｉｏｎ  Ｐｒｏｔｏｃｏｌ）に含まれる視聴制限レベル情報に加え、タイトル名情報と光ディスクが有するＭＩＤ（Ｍａｎｕｆａｃｔｕｒｅ'ｓ  ＩＤ）とのうち少なくともタイトル名情報を前記視聴制限レベル情報に対応させて前記記憶部に記憶させ、前記データ分離部がトランスポートストリームから分離した映像信号に加え最高レベルとしたＶＢＩの視聴制限レベル情報を前記光ディスク記録部が前記光ディスクに記録させ、前記光ディスク記録部が前記映像信号および前記ＶＢＩの視聴制限レベル情報を前記光ディスクに記録中に、前記データ分離部がトランスポートストリームから分離したＰＳＩＰに視聴制限レベル情報が含まれず視聴制限なしと前記制御部が判断すると、前記データ分離部がトランスポートストリームから分離した映像信号を前記光ディスク記録部は前記光ディスクに記録させ、ＶＢＩの視聴制限レベル情報は前記光ディスクに記録させず、前記光ディスク記録部は記録された映像信号に対応させてタイトル名情報を前記光ディスクに記録させ、
前記制御部が前記光ディスクに記録された前記タイトル名情報の前記記憶部に記憶された前記タイトル名情報との一致と、前記光ディスクが有する前記ＭＩＤの前記記憶部に記憶された前記ＭＩＤとの一致とのうち少なくとも前記光ディスクに記録された前記タイトル名情報の前記記憶部に記憶された前記タイトル名情報との一致を確認してから、前記記憶部に記憶された視聴制限レベル情報のレベルが操作手段により設定された視聴制限すべきレベルであると前記制御部が確認すると、前記映像重畳部は前記光ディスク再生部が前記光ディスクから再生した映像信号に所定のＯＳＤ映像信号を重畳し、重畳後の映像信号に基づく表示用信号を出力する、ことを特徴とする光ディスク装置。
【請求項２】
光ディスク記録部と、光ディスク再生部と、データ分離部と、記憶部と、制御部と、映像重畳部とを備え、
前記データ分離部がトランスポートストリームから分離したＰＳＩＰ（Ｐｒｏｇｒａｍ  ａｎｄ  Ｓｙｓｔｅｍ  Ｉｎｆｏｒｍａｔｉｏｎ  Ｐｒｏｔｏｃｏｌ）に含まれる視聴制限レベル情報を前記制御部が前記記憶部に記憶させ、前記データ分離部がトランスポートストリームから分離した映像信号を前記光ディスク記録部が光ディスクに記録させ、
前記記憶部に記憶された視聴制限レベル情報のレベルが操作手段により設定された視聴制限すべきレベルであると前記制御部が確認すると、前記映像重畳部は前記光ディスク再生部が前記光ディスクから再生した映像信号に所定のＯＳＤ映像信号を重畳し、重畳後の映像信号に基づく表示用信号を出力する、ことを特徴とする光ディスク装置。
【請求項３】
前記制御部は前記視聴制限レベル情報に加えタイトル名情報と前記光ディスクが有するＭＩＤ（Ｍａｎｕｆａｃｔｕｒｅ'ｓ  ＩＤ）とのうち少なくともタイトル名情報を前記視聴制限レベル情報に対応させて前記記憶部に記憶させ、前記光ディスク記録部は前記映像信号に対応させてタイトル名情報を前記光ディスクに記録させ、
前記制御部が前記光ディスクに記録された前記タイトル名情報の前記記憶部に記憶された前記タイトル名情報との一致と、前記光ディスクが有する前記ＭＩＤの前記記憶部に記憶された前記ＭＩＤとの一致とのうち少なくとも前記光ディスクに記録された前記タイトル名情報の前記記憶部に記憶された前記タイトル名情報との一致を確認してから、前記制御部は前記記憶部に記憶された前記視聴制限レベル情報のレベルが前記操作手段により設定された視聴制限すべきレベルであると確認する、ことを特徴とする請求項２に記載の光ディスク装置。
【請求項４】
前記光ディスク記録部は前記映像信号に加えレベルを最高レベルとしたＶＢＩの視聴制限レベル情報を前記光ディスクに記録させる、ことを特徴とする請求項２に記載の光ディスク装置。
【請求項５】
前記光ディスク記録部が前記映像信号および前記ＶＢＩの視聴制限レベル情報を前記光ディスクに記録中に、前記データ分離部がトランスポートストリームから分離したＰＳＩＰに視聴制限レベル情報が含まれず視聴制限なしと前記制御部が判断すると、前記データ分離部がトランスポートストリームから分離した映像信号を前記光ディスク記録部は前記光ディスクに記録させ、ＶＢＩの視聴制限レベル情報は前記光ディスクに記録させない、ことを特徴とする請求項４に記載の光ディスク装置。
【発明の詳細な説明】
【技術分野】
【０００１】
本発明は光ディスク装置に関するものである。
【背景技術】
【０００２】
昨今、子供への悪影響を考慮して放送番組の視聴制限に関する技術が様々に開発されている。例えば、北米においてはＶ−Ｃｈｉｐ１．０という視聴制限に関する規格が策定されている（Ｖ−Ｃｈｉｐに関しては例えば特許文献１参照）。このＶ−Ｃｈｉｐ１．０に対応する放送番組については、映像信号のＶＢＩ（垂直帰線消去期間）に視聴制限レベル情報が重畳される。そして、このような放送番組をＶ−Ｃｈｉｐ１．０に対応したテレビジョンが受信すると、放送番組の映像信号に重畳された視聴制限レベル情報のレベルがユーザにより予め設定された視聴制限レベルより高い場合、テレビジョンは映像信号にマスクをかけて表示を行い視聴が不可能となる。
【０００３】
また、Ｖ−Ｃｈｉｐ１．０に対応する放送番組を従来のＤＶＤレコーダで録画する場合、ＤＶＤレコーダはＤＶＤに映像信号と共に視聴制限レベル情報を記録する。そして、従来のＤＶＤレコーダにＶ−Ｃｈｉｐ１．０に対応するテレビジョンを接続した状態で本ＤＶＤをＤＶＤレコーダに再生させると、ＤＶＤレコーダは視聴制限レベル情報が重畳された映像信号をテレビジョンに出力するため、テレビジョンにおいて視聴制限をかけることが可能であった。
【特許文献１】特開２００６−１６６２６３号公報
【発明の開示】
【発明が解決しようとする課題】
【０００４】
上記Ｖ−Ｃｈｉｐ１．０の後、北米では新たにＶ−Ｃｈｉｐ２．０という規格がデジタル放送用に策定されている。Ｖ−Ｃｈｉｐ２．０に対応した放送番組については、トランスポートストリーム中のＰＳＩＰ（Ｐｒｏｇｒａｍ  ａｎｄ  Ｓｙｓｔｅｍ  Ｉｎｆｏｒｍａｔｉｏｎ  Ｐｒｏｔｏｃｏｌ）という情報に視聴制限レベル情報は組み込まれており、映像信号中には組み込まれていない。このような放送番組をＶ−Ｃｈｉｐ２．０に対応したテレビジョンが受信すると、ＰＳＩＰに組み込まれた視聴制限レベル情報のレベルがユーザにより予め設定された視聴制限レベルより高い場合、テレビジョンは映像信号にマスクをかけて表示を行い視聴が不可能となる。
【０００５】
ここで、Ｖ−Ｃｈｉｐ２．０に対応した放送番組を従来のＤＶＤレコーダで録画する場合、次のような問題点があった。従来のＤＶＤレコーダはＶ−Ｃｈｉｐ２．０に対応した放送番組を受信すると、トランスポートストリームから映像信号を分離し、分離された映像信号を伸長してその後圧縮し、圧縮された映像信号をＤＶＤに記録していた。前述のようにＶ−Ｃｈｉｐ２．０に対応した放送番組については映像信号に視聴制限レベル情報は組み込まれていないため、ＤＶＤに視聴制限レベル情報は記録されない。そのため、本ＤＶＤを従来のＤＶＤレコーダで再生する場合、ＤＶＤレコーダに接続されたＶ−Ｃｈｉｐ１．０に対応するテレビジョンおよびＶ−Ｃｈｉｐ２．０に対応するテレビジョンいずれでも視聴制限をかけることが不可能であった。
【０００６】
上記問題点を鑑み、本発明は、ＰＳＩＰに視聴制限レベル情報が含まれるようなデジタル放送番組を光ディスクに録画した場合でも、視聴制限をかけることが可能となる光ディスク装置を提供することを目的とする。
【課題を解決するための手段】
【０００７】
上記目的を達成するために本発明の光ディスク装置は、光ディスク記録部と、光ディスク再生部と、データ分離部と、記憶部と、制御部と、映像重畳部とを備え、
前記データ分離部がトランスポートストリームから分離したＰＳＩＰ（Ｐｒｏｇｒａｍ  ａｎｄ  Ｓｙｓｔｅｍ  Ｉｎｆｏｒｍａｔｉｏｎ  Ｐｒｏｔｏｃｏｌ）に含まれる視聴制限レベル情報を前記制御部が前記記憶部に記憶させ、前記データ分離部がトランスポートストリームから分離した映像信号を前記光ディスク記録部が光ディスクに記録させ、
前記記憶部に記憶された視聴制限レベル情報のレベルが操作手段により設定された視聴制限すべきレベルであると前記制御部が確認すると、前記映像重畳部は前記光ディスク再生部が前記光ディスクから再生した映像信号に所定のＯＳＤ映像信号を重畳し、重畳後の映像信号に基づく表示用信号を出力する、ことを特徴としている。
【０００８】
このような構成によれば、ＰＳＩＰに視聴制限レベル情報が含まれるようなデジタル放送番組を光ディスクに録画した場合でも、視聴制限をかけることが可能となる。
【０００９】
また、本発明の光ディスク装置は上記構成において、前記制御部は前記視聴制限レベル情報に加えタイトル名情報と前記光ディスクが有するＭＩＤ（Ｍａｎｕｆａｃｔｕｒｅ'ｓ  ＩＤ）とのうち少なくともタイトル名情報を前記視聴制限レベル情報に対応させて前記記憶部に記憶させ、前記光ディスク記録部は前記映像信号に対応させてタイトル名情報を前記光ディスクに記録させ、
前記制御部が前記光ディスクに記録された前記タイトル名情報の前記記憶部に記憶された前記タイトル名情報との一致と、前記光ディスクが有する前記ＭＩＤの前記記憶部に記憶された前記ＭＩＤとの一致とのうち少なくとも前記光ディスクに記録された前記タイトル名情報の前記記憶部に記憶された前記タイトル名情報との一致を確認してから、前記制御部は前記記憶部に記憶された前記視聴制限レベル情報のレベルが前記操作手段により設定された視聴制限すべきレベルであると確認する、ことを特徴としている。
【００１０】
このような構成によれば、確実に再生タイトルに対応した視聴制限レベル情報に基づいて視聴制限をかけることができる。
【００１１】
また、本発明の光ディスク装置は上記構成において、前記光ディスク記録部は前記映像信号に加えレベルを最高レベルとしたＶＢＩの視聴制限レベル情報を前記光ディスクに記録させる、ことを特徴としている。このような構成によれば、映像信号記録後の光ディスクがむやみに再生されることを防げる。
【００１２】
また、本発明の光ディスク装置は該構成において、前記光ディスク記録部が前記映像信号および前記ＶＢＩの視聴制限レベル情報を前記光ディスクに記録中に、前記データ分離部がトランスポートストリームから分離したＰＳＩＰに視聴制限レベル情報が含まれず視聴制限なしと前記制御部が判断すると、前記データ分離部がトランスポートストリームから分離した映像信号を前記光ディスク記録部は前記光ディスクに記録させ、ＶＢＩの視聴制限レベル情報は前記光ディスクに記録させない、ことを特徴としている。このような構成によれば、映像信号記録後の光ディスクを再生する際に視聴制限なしの部分について視聴制限されることを防げる。
【発明の効果】
【００１３】
本発明の光ディスク装置によれば、ＰＳＩＰに視聴制限レベル情報が含まれるようなデジタル放送番組を光ディスクに録画した場合でも、視聴制限をかけることが可能となる。
【発明を実施するための最良の形態】
【００１４】
以下、本発明の実施形態について図面を参照して説明する。
【００１５】
図１に、本発明に係るＤＶＤレコーダの概略構成図を示す。本発明に係るＤＶＤレコーダはデジタル放送受信に対応しており、ＲＦ部２と、デジタル復調部３と、データ分離部４と、ＭＰＥＧコーデック５と、映像重畳部６と、制御部７と、リモコン受信部８と、不揮発性メモリ９と、ＤＶＤ記録再生部１０とを備えている。
【００１６】
アンテナ１は、デジタル放送の放送電波を電気信号である放送信号に変換してＲＦ部２に出力する。ＲＦ部２は、アンテナ１から入力された放送信号から制御部７が指示するチャンネルの放送信号を抽出し、中間周波数信号をデジタル復調部３に出力する。デジタル復調部３は、中間周波数信号からトランスポートストリームを取り出してデータ分離部４に出力する。データ分離部４は、トランスポートストリームから映像信号およびＰＳＩＰ（Ｐｒｏｇｒａｍ  ａｎｄ  Ｓｙｓｔｅｍ  Ｉｎｆｏｒｍａｔｉｏｎ  Ｐｒｏｔｏｃｏｌ）を分離し、映像信号をＭＰＥＧコーデック５に出力し、ＰＳＩＰを制御部７に出力する。
【００１７】
ＭＰＥＧコーデック５は、データ分離部４からの映像信号を伸長して、伸長された映像信号を圧縮し、圧縮された映像信号を含むプログラムストリームをＤＶＤ記録再生部１０に出力する。ＤＶＤ記録再生部１０は、ＭＰＥＧコーデック５からのプログラムストリームをＤＶＤに記録させる。また、ＤＶＤ記録再生部１０はＤＶＤからプログラムストリームを再生する。再生されたプログラムストリームに含まれる映像信号をＭＰＥＧコーデック５は伸長する。伸長された映像信号に映像重畳部６は制御部７が生成するＯＳＤ映像信号を重畳し、重畳後の映像信号をビデオ信号に変換して外部の不図示のテレビジョンに出力する。
【００１８】
また、リモコン受信部８は、不図示のリモコンから赤外線信号を受信しコード信号を制御部７に出力する。不揮発性メモリ９は、例えばフラッシュメモリであり、後述するように視聴制限レベル情報等が記憶される。
【００１９】
次に、このような構成である本発明に係るＤＶＤレコーダにおける録画動作について、図２に示すフローチャートに沿って説明する。
【００２０】
不図示のリモコンにおいて録画開始操作がされると、ステップＳ２０で、制御部７は、データ分離部４がトランスポートストリームから分離したＰＳＩＰを解析し、Ｖ−Ｃｈｉｐ２．０に対応した放送番組であるか否かを判定する。もし、Ｖ−Ｃｈｉｐ２．０に対応した放送番組であると判定した場合は（ステップＳ２０のＹ）、ステップＳ２１に進む。
【００２１】
ステップＳ２１で、制御部７は、ＰＳＩＰに含まれる視聴制限レベル情報を、タイトル名情報およびＤＶＤ記録再生部１０に装填されているＤＶＤが有するＭＩＤ（Ｍａｎｕｆａｃｔｕｒｅ'ｓ  ＩＤ）と共にそれぞれ対応させて不揮発性メモリ９に記憶させる。
【００２２】
そして、ステップＳ２２で、ＭＰＥＧコーデック５は、データ分離部４がトランスポートストリームから分離した映像信号を伸長し、伸長された映像信号を圧縮し、圧縮された映像信号およびレベルを最高レベルとしたＶＢＩの視聴制限レベル情報を含んだプログラムストリームを生成してＤＶＤ記録再生部１０に出力し、ＤＶＤ記録再生部１０はプログラムストリームをＤＶＤに記録させる。これにより、ＤＶＤに記録された映像信号がむやみに再生されることを防げる。
【００２３】
そして、ステップＳ２３で制御部７が新たにＰＳＩＰを受信し、受信したＰＳＩＰに含まれる視聴制限レベル情報のレベルがステップＳ２１で不揮発性メモリに記憶された視聴制限レベル情報のレベルと同じであると制御部７が判断すると、ステップＳ２４に進む。ステップＳ２４では、ＭＰＥＧコーデック５は、データ分離部４がトランスポートストリームから分離した映像信号を伸長し、伸長された映像信号を圧縮し、圧縮された映像信号およびレベルを最高レベルとしたＶＢＩの視聴制限レベル情報を含んだプログラムストリームを生成してＤＶＤ記録再生部１０に出力し、ＤＶＤ記録再生部１０はプログラムストリームをＤＶＤに記録させる。そして、ステップＳ２３に戻る。
【００２４】
また、ステップＳ２３で受信したＰＳＩＰに視聴制限レベル情報が含まれず視聴制限なしと制御部７が判断すると、ステップＳ２５に進む。ステップＳ２５では、ＭＰＥＧコーデック５は、データ分離部４がトランスポートストリームから分離した映像信号を伸長し、伸長された映像信号を圧縮し、圧縮された映像信号を含みＶＢＩの視聴制限レベル情報を含まないプログラムストリームを生成してＤＶＤ記録再生部１０に出力し、ＤＶＤ記録再生部１０はプログラムストリームをＤＶＤに記録させる。そして、ステップＳ２３に戻る。これにより、ＤＶＤを再生させた場合に視聴制限なしの部分で視聴制限されることを防げる。
【００２５】
また、ステップＳ２３で受信したＰＳＩＰに含まれる視聴制限レベル情報のレベルがステップＳ２１で不揮発性メモリに記憶された視聴制限レベル情報のレベルと異なると制御部７が判断すると、ステップＳ２６に進む。ステップＳ２６で、制御部７はステップＳ２１で不揮発性メモリに記憶された視聴制限レベル情報、タイトル名情報およびＭＩＤを削除する。以降ステップＳ２７で、ＭＰＥＧコーデック５は、制御部７が生成する所定のＯＳＤ映像信号（例えば、ブラックバック用映像信号）を圧縮し、圧縮された映像信号を含むプログラムストリームを生成してＤＶＤ記録再生部１０に出力し、ＤＶＤ記録再生部１０はプログラムストリームをＤＶＤに記録させる。
【００２６】
また、上記ステップＳ２０でＶ−Ｃｈｉｐ２．０に対応した放送番組でないと判定した場合は（ステップＳ２０のＮ）、ステップＳ２８に進み、ＭＰＥＧコーデック５は、データ分離部４がトランスポートストリームから分離した映像信号を伸長し、伸長された映像信号を圧縮し、Ｖ−Ｃｈｉｐ１．０に対応した放送番組である場合は圧縮された映像信号およびＶＢＩの視聴制限レベル情報を含んだプログラムストリームを、視聴制限のない放送番組である場合は圧縮された映像信号を含みＶＢＩの視聴制限レベル情報を含まないプログラムストリームを生成してＤＶＤ記録再生部１０に出力し、ＤＶＤ記録再生部１０はプログラムストリームをＤＶＤに記録させる。
【００２７】
以上の図２のフローチャートの動作は不図示のリモコンにおいて録画停止操作がされると終了し、ＤＶＤ記録再生部１０はＤＶＤにタイトル名情報を記録されたプログラムストリームに対応させて記録させる。
【００２８】
次に、本発明に係るＤＶＤレコーダにおける再生動作について、図３に示すフローチャートに沿って説明する。
【００２９】
不図示のリモコンにおける操作によりＤＶＤ記録再生部１０に装填されたＤＶＤに記録されたタイトルが選択されると、ＤＶＤ記録再生部１０は選択されたタイトルの再生を開始する。そして、ステップＳ３０で、ＤＶＤ記録再生部１０が再生したプログラムストリームに含まれるＶＢＩの視聴制限レベル情報のレベルが最高レベルであることを制御部７が検出すると（ステップＳ３０のＹ）、ステップＳ３１で、制御部７は、現在再生対象のタイトルに対応するタイトル名情報およびＤＶＤ記録再生部１０に装填されているＤＶＤが有するＭＩＤの組が不揮発性メモリ９に記憶されているか確認し、もし記憶されていれば（ステップＳ３１のＹ）、ステップＳ３２に進む。
【００３０】
ステップＳ３２で、上記ステップＳ３１で確認された不揮発性メモリ９に記憶されたタイトル名情報およびＭＩＤの組に対応する不揮発性メモリ９に記憶された視聴制限レベル情報のレベルが、不図示のリモコンにおける操作により予め設定された視聴制限レベル以下であるか制御部７が確認し、もし設定された視聴制限レベル以下でなければ（ステップＳ３２のＮ）、ステップＳ３３に進む。ステップＳ３３で、ＭＰＥＧコーデック５は、ＤＶＤ記録再生部１０が再生したプログラムストリームから映像信号を分離し伸長し、伸長された映像信号を映像重畳部６に出力し、映像重畳部６は、伸長された映像信号に制御部７が生成した所定のＯＳＤ映像信号（例えば、ブラックバック用映像信号）を重畳し、重畳後の映像信号をビデオ信号に変換して不図示のテレビジョンに出力する。これにより、テレビジョンには例えばブラックバックである所定のＯＳＤ映像が表示され、視聴が制限される。
【００３１】
また、ステップＳ３２で、不揮発性メモリ９に記憶された視聴制限レベル情報のレベルが、設定された視聴制限レベル以下であれば（ステップＳ３２のＹ）、ステップＳ３４に進み、ＭＰＥＧコーデック５は、ＤＶＤ記録再生部１０が再生したプログラムストリームから映像信号を分離し伸長し、伸長された映像信号を映像重畳部６に出力し、映像重畳部６は、伸長された映像信号を上記所定のＯＳＤ映像信号の重畳はせずにビデオ信号に変換して不図示のテレビジョンに出力する。これにより、テレビジョンには放送番組の映像が表示され、視聴可能となる。
【００３２】
また、ステップＳ３０で、ＤＶＤ記録再生部１０が再生したプログラムストリームに含まれるＶＢＩの視聴制限レベル情報のレベルが最高レベルではないことを制御部７が検出すると（ステップＳ３０のＮ）、ステップＳ３５に進む。また、ステップＳ３１で、現在再生対象のタイトルに対応するタイトル名情報およびＤＶＤ記録再生部１０に装填されているＤＶＤが有するＭＩＤの組が不揮発性メモリ９に記憶されていない場合も（ステップＳ３１のＮ）、ステップＳ３５に進む。ステップＳ３５で、ＭＰＥＧコーデック５は、ＤＶＤ記録再生部１０が再生したプログラムストリームから映像信号および視聴制限レベル情報を分離し、映像信号は伸長し、伸長された映像信号および視聴制限レベル情報を映像重畳部６に出力し、映像重畳部６は、伸長された映像信号および視聴制限レベル情報をビデオ信号に変換して不図示のテレビジョンに出力する。この場合、テレビジョン側の設定により視聴制限がかけられる。
【００３３】
このように本発明によれば、ＰＳＩＰに視聴制限レベル情報が含まれるデジタル放送番組をＤＶＤに録画した場合でも、視聴制限レベル情報に基づいて視聴制限の制御が行える。
【図面の簡単な説明】
【００３４】
【図１】は、本発明に係るＤＶＤレコーダの概略構成図である。
【図２】は、本発明に係るＤＶＤレコーダにおける録画動作に関するフローチャートである。
【図３】は、本発明に係るＤＶＤレコーダにおける再生動作に関するフローチャートである。
【符号の説明】
【００３５】
１    アンテナ
２    ＲＦ部
３    デジタル復調部
４    データ分離部
５    ＭＰＥＧコーデック
６    映像重畳部
７    制御部
８    リモコン受信部
９    不揮発性メモリ
１０    ＤＶＤ記録再生部
【図１】
2008182502.tif 000003
【図２】
2008182502.tif 000004
【図３】
2008182502.tif 000005